(57)【要約】      （修正有）【課題】高い精度で個人認証が可能な電子血圧計を得る。【解決手段】被測定者の血圧を測定する電子血圧計であって、被測定者のコロトコフ音を検出する検出部８１と、検出したコロトコフ音の波形データに基づいて個人認証を行う認証部８２と、個人認証の結果に基づいたデータ処理を行う処理部８３とを備える。前記個人認証に成功した場合、前記処理手段は、前記測定した血圧を前記個人認証により認証された個人の血圧として記憶装置に記憶させ、前記記憶装置から、前記個人認証により認証された個人の血圧に関する情報を読み出すとともに、当該読み出した情報を表示装置に表示させる。【選択図】図３
2010110380.tif 000002
【特許請求の範囲】
【請求項１】
被測定者の血圧を測定する電子血圧計であって、
前記被測定者のコロトコフ音を検出する検出手段と、
前記検出されたコロトコフ音の波形データに基づいて個人認証を行う認証手段と、
前記個人認証の結果に基づいたデータ処理を行う処理手段とを備える、電子血圧計。
【請求項２】
前記検出手段は、前記血圧の測定時における前記被測定者のコロトコフ音を検出する、請求項１に記載の電子血圧計。
【請求項３】
前記個人認証に成功した場合、前記処理手段は、前記測定した血圧を前記個人認証により認証された個人の血圧として記憶装置に記憶させる、請求項２に記載の電子血圧計。
【請求項４】
前記記憶装置には、予め測定された血圧に関する情報が予め記憶されており、
前記個人認証に成功した場合、前記処理手段は、前記記憶装置から、前記個人認証により認証された個人の血圧に関する情報を読み出すとともに、当該読み出した情報を表示装置に表示させる、請求項３に記載の電子血圧計。
【請求項５】
前記検出手段は、
前記被測定者の所定の測定部位に巻き付けるとともに、当該測定部位に加える圧力を変動させるカフと、
前記圧力を変動させた際における前記測定部位から発せられる音を集音する音センサと、
前記集音した音から前記コロトコフ音を抽出する抽出手段とを備える、請求項１から４のいずれか１項に記載の電子血圧計。
【請求項６】
前記検出手段は、さらに、前記測定部位に加える圧力を変動させた際に検出される複数の前記コロトコフ音に基づいて前記血圧を測定する測定手段を備える、請求項５に記載の電子血圧計。
【請求項７】
前記認証手段は、前記圧力を変動させた際に検出される複数のコロトコフ音のうち、少なくとも１つのコロトコフ音の波形データを用いて前記個人認証を行う、請求項５または６に記載の電子血圧計。
【請求項８】
前記カフによる圧力を変動させるために流体を当該カフに送り込むためのチューブを備え、
前記音センサは前記チューブ内に配設されている、請求項５から７のいずれか１項に記載の電子血圧計。
【請求項９】
被測定者の血圧を測定する電子血圧計における測定データ処理方法であって、
前記血圧測定時における前記被測定者のコロトコフ音を検出する検出ステップと、
前記検出したコロトコフ音の波形データに基づいて個人認証を行う認証ステップと、
前記個人認証の結果に基づいたデータ処理を行う処理ステップとを含む、測定データ処理方法。
【発明の詳細な説明】
【技術分野】
【０００１】
本発明は、電子血圧計および電子血圧計における測定データ処理方法に関し、特に、電子血圧計の使用者の個人認証に関する。
【背景技術】
【０００２】
従来、例えば２人で共有することを前提とし、２つの使用者選択ボタンを備える構成の電子血圧計が知られている。このような電子血圧計では、測定前にユーザがいつも選択している方の使用者選択ボタンを押すことにより、測定されたユーザの血圧が過去に測定された当該ユーザの血圧に関連付けて記憶される。これにより、上記電子血圧計では、測定した血圧を被測定者であるユーザ毎に区別して管理可能となっている。
【０００３】
さらに、上記電子血圧計では、ユーザがいつも選択している方の使用者選択ボタンを押すことにより、当該ユーザに関する過去の血圧の情報が表示部に表示される。これにより、ユーザは自己の過去の血圧の情報を確認できる。
【０００４】
このように、従来の電子血圧計では、血圧の測定前にユーザが使用者選択ボタンを押す必要がある。また、使用者選択ボタンを設置できるスペースには限りがある。このため、多数の使用者選択ボタンを設置できず、電子血圧計を共有できる人数は限られる。また、いつも選択していない方の使用者選択ボタンをユーザが間違って押すこともありえる。
【０００５】
このような問題を解消すべく、特開平６−１４２０６５号公報（特許文献１）には、腕帯圧力に対するコロトコフ音のレベル変化のパターンを抽出して個別にメモリに記憶しておき、新たな測定を行う際に、メモリに記憶しているパターンと新たに得たパターンとを比較し、その一致度により個人特定を行う生体情報測定装置が開示されている。
【特許文献１】特開平６−１４２０６５号公報
【発明の開示】
【発明が解決しようとする課題】
【０００６】
しかしながら、特許文献１では、腕帯圧力を変化させた場合において得られるコロトコフ音の数が少ない場合がある。このような場合には、個人を認証し得る足る新たなパターンを得ることは難しい。また、上記新たなパターンは、ユーザの体調等によっても変動するおそれがある。
【０００７】
それゆえ、特許文献１の装置では、正確な個人認証を行うことは難しい。とりわけ、大勢のユーザが生体情報測定装置を共用する場合には、当該装置では正確な個人認証はさらに難しくなる。
【０００８】
本発明は上記の問題点を鑑みなされたものであって、主たる目的は、高い精度で個人認証が可能な電子血圧計、および測定データ処理方法を提供することにある。
【課題を解決するための手段】
【０００９】
本発明のある局面に従うと、電子血圧計は、被測定者の血圧を測定する電子血圧計であって、被測定者のコロトコフ音を検出する検出手段と、検出されたコロトコフ音の波形データに基づいて個人認証を行う認証手段と、個人認証の結果に基づいたデータ処理を行う処理手段とを備える。
【００１０】
また、検出手段は、血圧の測定時における被測定者のコロトコフ音を検出することが好ましい。
【００１１】
また、個人認証に成功した場合、処理手段は、測定した血圧を個人認証により認証された個人の血圧として記憶装置に記憶させることが好ましい。
【００１２】
また、記憶装置には、予め測定された血圧に関する情報が予め記憶されており、個人認証に成功した場合、処理手段は、記憶装置から、個人認証により認証された個人の血圧に関する情報を読み出すとともに、当該読み出した情報を表示装置に表示させることが好ましい。
【００１３】
また、検出手段は、被測定者の所定の測定部位に巻き付けるとともに、当該測定部位に加える圧力を変動させるカフと、圧力を変動させた際における測定部位から発せられる音を集音する音センサと、集音した音からコロトコフ音を抽出する抽出手段とを備えることが好ましい。
【００１４】
また、検出手段は、さらに、測定部位に加える圧力を変動させた際に検出される複数のコロトコフ音に基づいて血圧を測定する測定手段を備えることが好ましい。
【００１５】
また、認証手段は、圧力を変動させた際に検出される複数のコロトコフ音のうち、少なくとも１つのコロトコフ音の波形データを用いて個人認証を行うことが好ましい。
【００１６】
また、カフによる圧力を変動させるために気体を当該カフに送り込むためのチューブを備え、音センサはチューブ内に配設されていることが好ましい。
【００１７】
本発明の他の局面に従うと、測定データ処理方法は、被測定者の血圧を測定する電子血圧計における測定データ処理方法であって、血圧測定時における被測定者のコロトコフ音を検出する検出ステップと、検出したコロトコフ音の波形データに基づいて個人認証を行う認証ステップと、個人認証の結果に基づいたデータ処理を行う処理ステップとを含む。
【発明を実施するための最良の形態】
【００１８】
本発明の一実施形態である電子血圧計１について、図面に基づいて説明すると、以下のとおりである。
【００１９】
＜外観について＞
図１は、本発明の実施の形態に係る電子血圧計１の外観斜視図である。電子血圧計１は、脈波を測定する機能も有している。なお、電子血圧計１は、必ずしも脈波を測定する機能を有する必要はない。
【００２０】
電子血圧計１は、図１に示すとおり、本体部１０と、被測定者の所定の測定部位（たとえば上腕）に巻き付け可能なカフ２０と、本体部１０およびカフ２０とを接続するエアチューブ３１とを備える。本体部１０の表面には、たとえば液晶等により構成される表示部４０と、ユーザからの指示を受付けるための操作部４１とが配置されている。
【００２１】
表示部４０は、たとえば、血圧測定結果を数値として表示するための第１表示領域４０Ａと、脈波振幅情報を表示するための第２表示領域４０Ｂとを含む。
【００２２】
操作部４１は、ユーザからの入力を受け付ける。例えば、操作部４１は、複数のボタンや、カーソルキー等により構成される。
【００２３】
＜ハードウェア構成について＞
図２は、本発明の実施の形態に係る電子血圧計１のハードウェア構成を表わすブロック図である。
【００２４】
電子血圧計１のカフ２０は、図２に示すとおり、空気袋２１を含む。空気袋２１は、エアチューブ３１を介して、エア系３０に接続される。
【００２５】
本体部１０は、上述の表示部４０および操作部４１に加え、エア系３０と、各部を集中的に制御し、各種演算処理を行なうためのＣＰＵ（Central Processing Unit）１００と
、ＣＰＵ１００に所定の動作をさせるプログラムや各種データを記憶するためのメモリ４２と、測定された血圧を記憶するための不揮発性のメモリ（たとえばフラッシュメモリ）４３と、ＣＰＵ１００に電力を供給するための電源４４と、計時動作を行なう計時部４５と、外部よりデータの入力を受付けるためのデータ入出力部４６とを含む。
【００２６】
操作部４１は、電源をＯＮまたはＯＦＦするための指示の入力を受付ける電源スイッチ４１Ａと、測定開始の指示を受付けるための測定スイッチ４１Ｂと、測定停止の指示を受付けるための停止スイッチ４１Ｃと、メモリ４３に記録された血圧などの情報を読み出す指示を受付けるためのメモリスイッチ４１Ｄとを有する。
【００２７】
エア系３０は、空気袋２１内の圧力（カフ圧）を検出するための圧力センサ３２と、カフ圧を加圧するために、空気袋２１に空気を供給するためのポンプ５１と、空気袋２１の空気を排出しまたは封入するために開閉される弁５２とを含む。
【００２８】
本体部１０は、上記エア系３０に関連して、発振回路３３と、ポンプ駆動回路５３と、弁駆動回路５４とをさらに含む。
【００２９】
圧力センサ３２は、静電容量形の圧力センサであり、カフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００３０】
ポンプ５１、弁５２、ポンプ駆動回路５３および弁駆動回路５４は、カフ圧を調整するための調整機構５０を構成する。なお、カフ圧を調整するためのデバイスは、これらに限定されるものではない。
【００３１】
データ入出力部４６は、たとえば、着脱可能な記録媒体１３２からプログラムやデータの読み出しおよび書き込みをする。また、データ入出力部４６は、外部の図示しないコンピュータから通信回線を介してプログラムやデータの送受信ができてもよい。
【００３２】
なお、カフ２０には空気袋２１が含まれることとしたが、カフ２０に供給される流体は空気に限定されるものではなく、たとえば液体やゲルであってもよい。あるいは、流体に限定されるものではなく、マイクロビーズなどの均一な微粒子であってもよい。
【００３３】
電子血圧計１は、マイクロホン等の音センサ７２と、音センサ７２からの電気信号を受信し、コロトコフ音を検出するためのコロトコフ音検出回路７４とを備えている。
【００３４】
音センサ７２は、カフ２０に内蔵され、コロトコフ音検出回路７４は、本体部１０に内蔵される。なお、音センサ７２は、必ずしもカフ２０に内蔵されなくてもよく、たとえばエア系３０に内蔵されてもよい。エア系３０のエアチューブ３１に音センサ７２を内蔵する構成については、後述する（図１３）。
【００３５】
コロトコフ音検出回路７４は、音センサ７２から出力された電気信号から、コロトコフ音を検出する。そして、コロトコフ音検出回路７４は、検出したコロトコフ音を、ＣＰＵ１００に出力する。
【００３６】
＜機能構成について＞
図３は、本発明の実施の形態に係る電子血圧計１の機能構成を示す機能ブロック図である。
【００３７】
電子血圧計１の制御部８０は、図３に示すとおり、検出部８１と、認証部８２と、処理部８３とを含んでいる。また、検出部８１は、抽出部８１Ａと測定部８１Ｂとを含む。また、認証部８２は、算出部８２Ａを含む。また、処理部８３は、表示制御部８３Ａを含んでいる。なお、図３には、説明を簡単にするために、これらの機能ブロックとの間で直接的に信号やデータが授受される周辺のハードウェアのみ示している。
【００３８】
制御部８０は、電子血圧計１の動作を制御する。制御部８０の各機能は、具体的には、メモリ４２に記憶されたプログラムやメモリ４３に記憶されたデータ等をＣＰＵが処理することにより実行される。
【００３９】
検出部８１は、被測定者のコロトコフ音を検出する。また、検出部８１は、コロトコフ音の検出に加えて、被測定者の血圧も測定する。以下、検出部８１で行われる具体的な処理について、説明する。なお、カフ圧を一定圧以上に高め、その後カフ圧を減圧していく過程において、上記コロトコフ音の検出と上記血圧の測定とを行うものとする。また、当該過程において、コロトコフ音の波形が複数検出される。なお、後述する個人認証は、当該過程において得られる１つの波形を用いてもよいし、当該過程において得られる２つ以上の波形を用いてもよい。
【００４０】
抽出部８１Ａは、音センサ７２が出力した電気信号を受信する。ここで得られた電気信号はアナログ信号であるため、抽出部８１Ａは、当該アナログ信号に対してサンプリングを行い、デジタル信号を得る。つまり、抽出部８１Ａは、アナログ信号の強さ（大きさ）を一定時間ごとに採取し、デジタル記録が可能な形にする。そして、抽出部８１Ａは、当該受信したサンプリング処理したデジタル信号の中から、コロトコフ音を抽出する。
【００４１】
具体的には、抽出部８１Ａは、遮断周波数よりも低い周波数を通さないフィルタとして機能する。言い換えば、抽出部８１Ａは、必要のない低周波成分を取り除くのに有用なフィルタとして機能する。
【００４２】
ここで、空気圧の減圧時においては、音センサ７２が出力する電気信号には、主として脈波音とコロトコフ音とが含まれる。図４は、カフ圧を一定にした際に得られる、脈波音の１波形とコロトコフ音の１波形とを示した図である。同図に示すとおり、脈波音の周波数は、コロトコフ音の周波数よりも低い。
【００４３】
そこで、抽出部８１Ａにおいては、遮断周波数が、脈波音の周波数帯とコロトコフ音の周波数帯との間に設定されている。このような構成により、抽出部８１Ａでは、サンプリング処理により得られたデジタル信号の中から、コロトコフ音を抽出することができる。より正確には、抽出部８１Ａにおいては、サンプリング処理により得られたデジタル信号の中から、複数のコロトコフ音を示す波形データを抽出することができる。
【００４４】
ここで、上記抽出された波形データはデジタルデータであるため、当該波形データは離散的なデータの集合となる。また、抽出部８１Ａは、当該離散的なデータのそれぞれを、抽出された時間または抽出された順序に関連付ける。
【００４５】
測定部８１Ｂは、抽出部８１Ａが抽出したコロトコフ音に基づいて、血圧の測定を行う。より詳しくは、測定部８１Ｂは、カフ圧を変動させた際に検出される複数のコロトコフ音に基づいて血圧を測定する。なお、カフ内にマイクロフォン等の音センサを設置し、コロトコフ音を用いて血圧の測定を行う構成は、従来より知られた構成であるため、ここでの説明は繰り返さない。
【００４６】
そして、検出部８１は、抽出したコロトコフ音の波形データと測定した血圧とを認証部８２に送る。
【００４７】
以上のように、検出部８１は、コロトコフ音を抽出する機能と、抽出したコロトコフ音を用いて血圧の測定を行う機能を備えている。
【００４８】
認証部８２は、検出部８１から送られたコロトコフ音の波形データに基づいて個人認証を行う。以下、認証部８２で行われる具体的な処理について説明する。
【００４９】
図５は、脈波音とコロトコフ音との関係、およびコロトコフ音の波形を説明するための図面である。具体的には、図５（Ａ）はカフ圧を減圧し続けた際に音センサ７２から出力される脈波音とコロトコフ音と関係を示した図である。また、図５（Ｂ）は、図５（Ａ）の点線で囲まれたコロトコフ音の波形の詳細を示した図である。なお、図５（Ａ）および図５（Ｂ）では、説明の便宜上、横軸を時間軸として表している。
【００５０】
カフ圧を上記のように減圧していくと、コロトコフ音についての出力が生じる。つまり、カフ圧を減圧していくと、コロトコフ音が聞こえ始める。そして、図５（Ａ）に示すとおり、コロトコフ音の出力（レベル）がピークになり、その後、当該出力は減衰する。そして、最終的には、コロトコフ音の出力が０となる。なお、コロトコフ音が聞こえ始めるカフ圧が最高血圧（ＳＹＳ）と、コロトコフ音が聞こえなくなるカフ圧が最低血圧（ＤＩＡ）となる。このように、カフ圧を減圧していく過程において、複数のコロトコフ音が生じる。
【００５１】
認証部８２は、図５（Ｂ）に示すようなコロトコフ音の波形データを用いて個人認証を行う。より詳しくは、認証部８２は、カフ圧を変動させた際に検出される複数のコロトコフ音のうち、少なくとも１つのコロトコフ音の波形データを用いて個人認証を行う。以下では、１つのコロトコフ音の波形データ（つまり、１つの波形データ）を用いて個人認証を行う構成について説明する。なお、複数の波形データのうち振幅が一番大きな波形データを、個人認証に用いればよい。
【００５２】
ここで、認証とは「本人しか持ち得ない属性を元にその属性を確認し本人であることを証明すること」をいう。また、個人認証とは、上記認証によって、少なくとも個人（個人を示す情報を含む）を識別することをいう。具体例を挙げると、個人認証とは、ユーザＡの属性を確認して認証対象者がユーザＡ本人であることを証明することにより、ユーザ群（ユーザＡを含む多数ユーザからなる群）から認証対象者がユーザＡであることを識別することをいう。そして、電子血圧計１では、本人しか持ち得ない属性として、生体属性であるコロトコフ音を用いる。なお、生体属性とは、本人の身体的な特徴（つまり本人しか持ち得ない特徴）に基づき確認と証明を行うための属性である。
【００５３】
ところで、検出部８１から送られたコロトコフ音の波形データは、上述したとおり、離散的なデータの集合である。認証部８２は、この離散的なデータの集合の一部のデータを用いて個人認証を行う。なお、認証部８２は、離散的なデータ全てを用いて個人認証を行ってもよいが、この場合には処理時間を要するため、一部のデータを用いる方が好ましい。
【００５４】
上記一部のデータを得るためには、認証部８２が、上記抽出された時間または抽出された順序に関連付けられた離散的なデータの集合から、所定の周期あるいは順序でデータを抽出すればよい。言い換えば、１つの波形データ（上記離散的なデータの集合）に関し、認証部８２が、一定時間（一定の間隔）毎に音の出力を採取すればよい。
【００５５】
なお、以下では、上記のように離散的なデータの集合から一部のデータの抽出処理を行う処理を一部データ抽出処理と称する。また、以下では、当該一部抽出処理を行った後のデータは、個人認証処理の対象として用いるデータであるため、当該処理を行った後のデータを処理対象データと称する。さらに、以下では、一部データ抽出処理を行う前のコロトコフ音の波形データを一部抽出処理前の波形データと、一部データ抽出処理を行った後のコロトコフ音の波形データを一部抽出処理後の波形データと称することもある。
【００５６】
また、個人認証にあたっては、各ユーザのコロトコフ音に関にしても、上記処理対象データを得たのと同様な方法を用いることによって予め取得しておいた波形データ（以下、認証用データ）を、個人認証処理に先立ちメモリ４３に記憶させておく。当該記憶にあたっては、まず、抽出部８１によって上述したようにコロトコフ音を抽出する。そして、認証部８２によって、例えば最も出力の高い波形についての波形データ（図５（Ｂ）に相当する波形データ）に関する上記認証用データをメモリ４３に記憶させておけばよい。なお、以下では、認証用データは各ユーザ数に対応した数だけ存在するものとして説明する。
【００５７】
また、メモリ４３においては、記憶されたコロトコフ音の波形データが、どのユーザの波形データであるかを識別可能とすべく、上記認証用データには、ユーザを識別する識別情報が関連付けされている。この関連付けは、波形データの登録時にユーザからの入力を受け付けること等により行われる。
【００５８】
そして、認証部８２は、新たに抽出した被測定者のコロトコフ音であって、かつ最も出力の高い波形のコロトコフ音についての処理対象データが、メモリ４３に予め記憶しておいた複数の上記認証用データうちいずれかのデータと一致するか否かにより個人認証を行う。このように一致するか否かは、算出部８２Ａが算出した一致率に基づいて判断される。以下、算出部８２Ａが行う処理と、上記一致率とについて説明する。
【００５９】
また、以下では説明の便宜上、処理対象データおよび各認証用データについては、上記採取した出力がｎ個存在するものとし、かつ当該ｎ個の各出力について時間の経過に従った順序付けがなさているものとする。そして、以下では、処理対象データについては、ｋ番目の出力をＶｉ（ｋ）として表記し、認証用データについては、各認証データとも、ｋ番目の出力をＶｓ（ｋ）として表記する。なお、ｋは、１≦ｋ≦ｎを満たす自然数である。
【００６０】
算出部８２Ａは、上記Ｖｉ（ｋ）とＶｓ（ｋ）とを用いて、処理対象データと認証データと一致率を認証データ毎に算出する。ここで、一致率とは、２つのデータが、互いにどれだけ似通ったデータであるかを示した率である。
【００６１】
より詳しくは、算出部８２Ａは、まず、｜Ｖｉ（ｋ）−Ｖｓ（ｋ）｜の値が閾値（例えば、１０ｍｖ）よりも小さくなるｋの個数（例えば、ｎ−３個）を求める。そして、算出部８２Ａは、求めたｋの個数をｎで除し、さらに１００を掛けることにより、一致率を求める。なお、ｋの個数が上記ｎ−３個の場合、一致率は、（ｎ−３）／ｎ×１００となる。この一致率の算出処理は、認証データ毎に行われる。
【００６２】
図６は、処理対象データと１つの認証用データとの関係を示した図である。同図においては、黒丸の点が処理対象データに対応し、白丸の点が認証用データに対応する。なお、同図においては、実線は、処理対象データの基になったアナログ信号であって、抽出部８１Ａが音センサ７２から取得したアナログ信号を示している。一方、同図においては、点線は、認証用データの基になったアナログ信号であって、抽出部８１Ａが音センサ７２から取得したアナログ信号を示している。
【００６３】
また、図６を参照して上記一致率の算出を説明すると以下の通りである。まず、左から１番目の黒丸の出力電圧と左から１番目の白色の出力電圧との差の絶対値を求める。さらに、左から２番目の黒丸の出力電圧と左から２番目の白色の出力電圧との差の絶対値を求める。この処理を、一番右の黒丸の出力電圧と一番右の白色の出力電圧とについてまで、順次行う。そして、各絶対値を閾値と比較し、閾値よりも小さい絶対値の数を求める。そして、当該求めた数を黒丸（あるいは白丸）の総数で除し、さらに１００を掛ける。これにより、一致率が算出される。なお、これらの処理は、上述したように、算出部８２Ａにより行われる。
【００６４】
認証部８２は、算出部８２Ａで算出された各一致率を用いて個人認証を行う。具体的には、認証部８２は、各一致率のうち最も率の高い一致率が、第１の閾値（Ｔｈ１）よりも大きいか否かを判断する。そして、大きいと判断した場合には、認証部８２は、最も率の高い一致率となった元の認証データに対応付けられた識別データに基づいて、個人認証を行う。つまり、当該識別データで特定される個人を、被測定者であると判断する。なお、第１の閾値（Ｔｈ１）としては、例えば８５％といった値を用いればよい。
【００６５】
例えば、４人の認証用データ（ＤＡＴ１，ＤＡＴ２，ＤＡＴ３，ＤＡＴ４）が、４人を識別する識別情報（例えば、ＩＤ１，ＩＤ２，ＩＤ３，ＩＤ４）とともにメモリ４３に記憶されている場合を考える。そして、一致率が最も高く、かつ一致率が第１の閾値を超えた認証用データが、例えば、ＤＡＴ３とする。この場合、認証部８２は、ＤＡＴ３に対応付けられた識別情報（ＩＤ３）で特定される個人を、被測定者であると判断する。
【００６６】
そして、認証部８２は、上記特定した個人を示す識別情報（例えば、ＩＤ３）と、検出部８１から送られてきた血圧とを関連付けて、処理部８３に送る。
【００６７】
処理部８３は、認証部８２から上記識別情報と血圧のデータとを受け取る。そして、当該識別情報と血圧データとに基づいて、後述するデータ処理を行う。つまり、処理部８３は、個人認証の結果に基づいたデータ処理を行う。
【００６８】
処理部８３の表示制御部８３Ａは、表示部４０に測定した血圧の表示とともに上記識別情報に基づいた表示を行わせる。例えば、表示制御部８３Ａは、表示部４０に、「山田太郎：最高血圧１３０，最低血圧８７」といった表示を行わせる。なお、識別情報としては、例えばＩＤ３といった個人名でない情報であってもよいし、あるいは個人名そのものであってもよい。さらに、例えばＩＤ３といった識別情報と個人名とを関連付けて記憶しておき、表示部４０に表示させる場合のみに、ＩＤ３に対応付けられた個人名を表示する構成であってもよい。
【００６９】
また、処理部８３は、上記のように個人認証に成功した場合、上記測定した血圧を個人認証により認証された個人の血圧としてメモリ４３に記憶させる。これにより、個人認証と同時に、認証された個人の血圧として測定した血圧を記憶させることができる。また、上記記憶の際には、処理部８３は、測定日時も測定した血圧に関連付けて記憶する。
【００７０】
また、上記のように個人認証に成功した場合であって、操作部４１を介して被測定者から所定の入力を処理部８３が受け付けた場合、表示制御部８３Ａは、メモリ４３から個人認証により認証された個人の血圧に関する情報を読み出すとともに、当該読み出した情報を表示部４０に表示させる。
【００７１】
なお、血圧に関する情報とは、過去の最高血圧、過去の最低血圧、過去の最高血圧の平均、過去の最低血圧の平均等、過去の血圧から算出される様々な情報をいう。なお、どのような情報を記憶させることができるかは、電子血圧計１の機能に依存する。また、電子血圧計１が、上述したように脈波を測定する機能を有している場合には、認証された個人の脈波に関する情報を読み出して、当該読み出した情報を表示部４０に表示させる構成としてもよい。なお、どのような情報を読み出すかは、操作部４１を介した被測定者の入力により決定される。
【００７２】
このような構成により、認証された個人以外が、少なくとも当該個人の血圧に関する情報を見ることができなくなる。したがって、電子血圧計１を用いることにより、セキュリティーの高い、血圧に関する情報の管理を行うことができる。
【００７３】
＜検出結果例＞
以上のように、電子血圧計１は、コロトコフ音の波形データに基づいて個人認証を行う構成である。このようにコロトコフ音の波形データに基づき個人認証を行う理由は、コロトコフ音が、個別性および再現性が高い点にある。ここで、個別性とは、個々人によって、コロトコフ音の波形が異なることを指す。また、再現性とは、コロトコフ音の波形が個人の状態によらず概ね同形波であることを指す。
【００７４】
図７は、男性Ａのコロトコフ音の波形と脈波形とを示したグラフである。ここで、図７（Ａ）は、１回目の測定時における、男性Ａのコロトコフ音の波形と脈波形とを示したグラフである。また、図７（Ｂ）は、２回目の測定時における、男性Ａのコロトコフ音の波形と脈波形とを示したグラフである。また、図７（Ｃ）は、３回目の測定時における、男性Ａのコロトコフ音の波形と脈波形とを示したグラフである。図７（Ａ）〜（Ｃ）のそれぞれにおいては、上側の波形がコロトコフ音の波形を示しており、下側の波形が脈波形を示している。より詳しくは、図７（Ａ）〜（Ｃ）においては、それぞれに３つのコロトコフ音の波形が示されている。
【００７５】
図７（Ａ）〜（Ｃ）における左側の各コロトコフ音の波形に着目すると、３つとも波形が同じような形状を有しているのがわかる。また、図７（Ａ）〜（Ｃ）における、中央の各コロトコフ音の波形に着目しても、３つとも波形が同じような形状を有しているのがわかる。さらに、また、図７（Ａ）〜（Ｃ）における、右側の各コロトコフ音の波形に着目しても、３つとも波形が同じような形状を有しているのがわかる。このような検出結果例からも、コロトコフ音は再現性が高いことがわかる。
【００７６】
図８は、女性Ｂのコロトコフ音の波形と脈波形とを示したグラフである。ここで、図８（Ａ）は、１回目の測定時における、女性Ｂのコロトコフ音の波形と脈波形とを示したグラフである。また、図８（Ｂ）は、２回目の測定時における、女性Ｂのコロトコフ音の波形と脈波形とを示したグラフである。図８（Ａ）および（Ｂ）のそれぞれにおいては、図７と同様、上側の波形がコロトコフ音の波形を示しており、下側の波形が脈波形を示している。より詳しくは、図８（Ａ）および（Ｂ）においては、それぞれに２つのコロトコフ音の波形が示されている。
【００７７】
図８（Ａ）および（Ｂ）における左側の各コロトコフ音の波形に着目すると、２つとも波形が同じような形状を有しているのがわかる。また、図８（Ａ）および（Ｂ）における、右側の各コロトコフ音の波形に着目しても、２つとも波形が同じような形状を有しているのがわかる。このような検出結果例からも、コロトコフ音は再現性が高いことがわかる。
【００７８】
さらに、図７（Ａ）〜（Ｃ）に示した各コロトコフ音の波形と、図８（Ａ）および（Ｂ）に示した各コロトコフ音の波形とを比べると分かるように、男性Ａと女性Ｂとでは、コロトコフ音の波形が異なる。このような検出結果例からも、コロトコフ音は個別性が高いことが分かる。
【００７９】
＜処理フロー＞
次に、電子血圧計１における処理フローについて、フローチャートに基づき説明する。図９は、血圧測定の処理の流れを示したフローチャートである。なお、以下の処理では、制御部８０が、コロトコフ音の１つ以上の波形データから上記処理対象データを得る構成について説明する。この際、制御部８０は、振幅の大きい波形データから順に、利用する数だけ個人認証に用いる波形データを選択する。
【００８０】
まず、制御部８０は電源スイッチが押下されたか否かを判断する（Ｓ１）。ステップＳ１において押下されたと判断した場合には、制御部８０が電子血圧計１の初期化処理を行う（Ｓ２）。一方、ステップＳ１において押下されたと判断しなかった場合には、再度、ステップＳ１に戻る。
【００８１】
ステップＳ２の後は、制御部８０による制御の下に、調整機構５０は、空気を空気袋２１に供給してカフ圧を上昇させる（Ｓ３）。ステップＳ３においては、圧力センサ８２からの信号を基に制御部８０が、カフ圧が閾値（ＴｈＰ）を超えたか否かを判断する（Ｓ４）。ステップＳ４において閾値（ＴｈＰ）を超えたと判断した場合には、音センサ７２が集音を開始する（Ｓ５）。一方、ステップＳ４において閾値（ＴｈＰ）を超えたと判断しなかった場合には、再度、ステップＳ３に戻る。
【００８２】
ステップＳ５の後は、制御部８０による制御の下に、調整機構５０は、カフ圧の降下を開始する（Ｓ６）。そして、ステップＳ６の後は、検出部８１の測定部８１Ｂが、血圧の算出処理を開始する（Ｓ７）。ステップＳ７の後は、制御部８０が、血圧が決定されたか否かを判断する（Ｓ８）。ステップＳ８において血圧が決定されたと判断した場合には、音センサ７２は集音を終了する（Ｓ９）。一方、ステップＳ８において血圧が決定されたと判断しなかった場合には、再度、ステップＳ６に戻る。
【００８３】
ステップＳ９の後は、制御部８０による制御の下に、カフ２０内の空気を排気する（Ｓ１０）。そして、ステップＳ１０の後は、検出部８１および認証部８２によって、個人認証を行う（Ｓ１１）。ステップＳ１１の後は、制御部８０が、個人認証に成功したか否かを判断する（Ｓ１２）。ここで、個人認証に成功したとは、個人を認証できたこと（つまり個人を特定できたこと）を指す。一方、個人認証に成功しなかった（つまり失敗した）とは、個人を認証できなかったこと（つまり個人を特定できなかったこと）を指す。
【００８４】
ステップＳ１２において個人認証に成功したと判断した場合には、表示制御部８３Ａが、表示部４０に測定した血圧の表示とともに上述した識別情報に基づいた表示（例えば個人名の表示）を行わせる（Ｓ１３）。そして、ステップＳ１３の後は、処理部８３が、認証された個人のデータとして、測定した血圧と当該血圧の測定日時とをメモリ４３に記憶させる（Ｓ１４）。ステップＳ１４の後は、処理部８３は、認証された個人の過去の血圧に関する情報へのアクセスを許可する（Ｓ１５）。そして、一連の処理を終了する。
【００８５】
一方、ステップＳ１２において個人認証に成功したと判断しなかった場合には、表示制御部８３Ａが、表示部４０に測定した血圧を表示する（Ｓ１６）。そして、ステップＳ１６の後は、制御部８０が、ユーザ登録の処理が行われたか否かを判断する（Ｓ１７）。ステップＳ１７においてユーザ登録の処理が行われたと判断した場合には、処理部８３は、ユーザ登録された個人のデータとして、測定した血圧と当該血圧の測定日時とをメモリ４３に記憶させる（Ｓ１８）。そして、一連の処理を終了する。一方、ステップＳ１７においてユーザ登録の処理が行われたと判断しなかった場合には、処理部８３は処理を終了する。
【００８６】
図１０は、図９のステップＳ１１における個人認証の処理のフローを示したフローチャートである。
【００８７】
まず、抽出部８１Ａが、音センサ７２で集音した音からコロトコフ音を抽出する（Ｓ２１）。ステップＳ２１の後は、認証部８２が、抽出されたコロトコフ音の１つ以上の波形データから上記処理対象データを得る（Ｓ２２）。また、ステップＳ２２の後は、算出部８２Ａが、処理対象データと、予めメモリ４３に記憶しておいた認証データとの一致率を認証データ毎に算出する（Ｓ２３）。そして、ステップＳ２３の後は、認証部８２が、認証用データ毎に算出した一致率のうち最も高い一致率が、閾値（Ｔｈ１）を超えているか否かを判断する（Ｓ２４）。
【００８８】
ステップＳ２４において上述した第１の閾値（Ｔｈ１）を超えていると判断した場合には、制御部８０は、個人認証に成功したと判断する（Ｓ２５）。一方、ステップＳ２４において第１の閾値（Ｔｈ１）を超えていると判断しなかった場合には、制御部は、個人認証に失敗したと判断する（Ｓ２６）。そして、以上により処理を終了する。
【００８９】
以上において述べたとおり、電子血圧計１は、被測定者の血圧を測定する電子血圧計であって、被測定者のコロトコフ音を検出する検出部８１と、上記検出したコロトコフ音の波形データに基づいて個人認証を行う認証部８２と、個人認証の結果に基づいたデータ処理を行う処理部８３とを備える構成である。このように、電子血圧計１では個別性および再現性に優れたコロトコフ音についての波形データを用いて個人認証を行う構成であるため、電子血圧計１では高い精度で個人認証が可能となる。
【００９０】
また、電子血圧計１は、血圧の測定時における被測定者のコロトコフ音を検出する構成でもある。つまり、電子血圧計１は、血圧測定時に得られるコロトコフ音に基づいて個人認証を行う構成である。このため、血圧測定と個人認証とを同時に行うことが可能となる。
【００９１】
また、電子血圧計１では、コロトコフ音に基づいて個人認証を行うため、従来のように、使用者選択ボタンの押下によるユーザ選択の操作が不要となる。それゆえ、ユーザにとっては、使用者選択ボタンの手間が不要になる。また、従来においては、使用者選択ボタンの選択をユーザが誤り、その結果、被測定者の血圧が他のユーザの血圧として記憶されることがあった。しかしながら、電子血圧計１では、被測定者の血圧が他のユーザの血圧として記憶されることがなくなる。このため、電子血圧計１では、正確な血圧管理を行うことができる。
【００９２】
また、電子血圧計１は、使用者選択ボタンによりユーザの選択を行う構成を採らなくてよいため、使用者選択ボタンの配置制限から生じる使用者数の制限がなくなる。このため、電子血圧計１では、使用者選択ボタンを備える構成の電子血圧計に比較し、より多くのユーザが電子血圧計を共用することができる。
【００９３】
また、電子血圧計１は、上述したとおり、認証された個人のみが当該個人の過去の血圧に関する情報を確認することができる。したがって、電子血圧計１では、他人に血圧に関する情報を盗み見られることを防止できるため、セキュリティ面においても優れている。
【００９４】
また、パスワードの入力により個人認証を行うような電子血圧計では、血圧の測定前にパスワードといった入力作業が必要になる。このような入力作業は、面倒でかつ時間を要する。このため、パスワードによる個人認証を行う電子血圧計は、利便性の面で優れない。一方、電子血圧計１では、パスワードの入力が不要であり、パスワードによる個人認証を行う電子血圧計に比べ、利便性の面で優れている。
【００９５】
また、電子血圧計１は、マイクロフォン等の音センサを用いて測定部位の変位を捉える構成である。ここで、一般的に、音センサは圧力センサに比べて応答速度が速い。このため、音センサでは、圧力センサでは捉えにくい変位を捉えることができる。したがって、音センサを用いた場合には、圧力センサを用いた場合よりも、個人認証の精度と血圧測定の精度とを高めることができる。
【００９６】
＜変形例＞
（１）上記においては、個人認証に当たり第１の閾値（例えば８５％）を用いた構成を例に挙げて説明した。以下では、一致率が第１の閾値未満であっても、認証の精度を保ったまま個人認証を行うことができる構成（以下、他の構成と称する）について説明する。なお、以下では、上述した電子血圧計１と構成の異なる点のみを説明し、構成が同じである点についての説明は繰り返さない。
【００９７】
図１１は、上記他の構成における制御部内の認証部の機能構成を示す機能ブロック図である。
【００９８】
上記他の構成は、図１１に示すとおり、認証部８２の代わりに認証部８２０を備えている。そして、認証部８２０は、算出部８２Ａと、第１判断部８２Ｂと、第２判断部８２Ｃとを備えている。つまり、認証部８２と認証部８２０とを比較した場合、認証部８２０に第１判断部８２Ｂと第２判断部８２Ｃといった２つの新たな機能ブロックが追加されている点において、認証部８２０は認証部８２と異なる。
【００９９】
また、メモリ４３には、血圧に関する情報として、高血圧の傾向にあるのか低血圧の傾向にあるのかを示した傾向データが個人毎に予め記憶されているものとする。
【０１００】
第１判断手段８２Ｂは、個人認証時に測定した血圧に基づいて、高血圧の傾向にあるのか低血圧の傾向にあるのかを判断する。この判断は、以下のようにして行う。
【０１０１】
具体的には、個人認証時に測定した血圧の最高血圧が閾値（ＴｈＨ１）以上である場合、および／または、個人認証時に測定した血圧の最低血圧が閾値（ＴｈＬ１）以上である場合には、第１判断手段８２Ｂは高血圧の傾向にあると判断する。例えば、閾値（ＴｈＨ１）として１４０ｍｍＨｇ、閾値（ＴｈＬ１）として９０ｍｍＨｇといった値を用いることができる。また、個人認証時に測定した血圧の最高血圧が閾値（ＴｈＨ２）以下である場合には、第１判断手段８２Ｂは低血圧の傾向にあると判断する。例えば、閾値（ＴｈＨ２）として１００ｍｍＨｇといった値を用いることができる。
【０１０２】
第１判断部８２Ｂは、上記のように判断した血圧の傾向を示したデータを第２判断部８２Ｃに送る。
【０１０３】
第２判断部８２Ｃは、算出部８２Ａにより算出された一致率のうち最も高い一致率が第２閾値以上であって前記第１閾値未満であるかを判断する。そして、最も高い一致率が第２閾値以上であって前記第１閾値未満である場合には、第２判断部８２Ｃは以下の判断処理を行う。すなわち、第２判断部８２Ｃは、第１判断部８２Ｂから送られてきた血圧の傾向を示したデータに基づき、第１判断部８２Ｂにより判断した血圧の傾向と、メモリ４３に予め記憶された上記傾向データであって、かつ上記最も高い一致率となった認証データに関連付けられた識別情報にて特定される個人についての上記傾向データが示す傾向とが一致するか否かを判断する。
【０１０４】
そして、第２判断部８２Ｃにて一致すると判断された場合、認証部８２０は、被測定者を、上記最も値の大きい一致率となった認証用データに関連付けられた識別情報にて特定される個人であると認証する。
【０１０５】
図１２は、電子血圧計を上記他の構成とした場合における、血圧測定の処理の流れを示したフローチャートである。
【０１０６】
ここで、ステップＳ３１〜ステップＳ３５までの処理は、図１０に示したステップＳ２１〜ステップＳ２５までの処理と同じであるため、ここでの説明は繰り返さない。したがって、ステップＳ３４において第１の閾値（Ｔｈ１）を超えていると判断しなかった場合における以降の処理について説明する。
【０１０７】
ステップＳ３６においては、認証部８２０が、認証用データ毎に算出した一致率のうち最も高い一致率が、第２の閾値（Ｔｈ２）を超えているか否かを判断する（Ｓ３６）。ここで、第２の閾値（Ｔｈ２）は、上記第１の閾値（Ｔｈ１）よりも低い値であって、例えば７０パーセントといった値を用いることができる。
【０１０８】
ステップＳ３６において、上記一致率が第２の閾値（Ｔｈ２）よりも大きいと判断した場合には、当該一致率となった認証用データに対応した識別情報で特定される個人の上記傾向データを、第２判断部８２Ｃがメモリ４３から読み出す（Ｓ３７）。ステップＳ３７の後は、第２判断部８２Ｃが、第１判断部８２Ｂから送られてきた血圧の傾向を示したデータに基づき、第１判断部８２Ｂにより判断した血圧の傾向と、メモリ４３から読み出した傾向データが示す傾向とが一致するか否かを判断する（Ｓ３８）。
【０１０９】
ステップＳ３８において一致すると判断した場合には、ステップＳ３５に進み、認証部８２０は個人認証が成功した判断する。一方、ステップＳ３８において一致しなかった場合には、ステップＳ３９に進み、認証部８２０は個人認証に失敗したと判断する。
【０１１０】
また、ステップＳ３６において上記一致率が第２の閾値（Ｔｈ２）よりも大きいと判断しなかった場合には、同様にステップＳ３９に進み、認証部８２０は個人認証に失敗したと判断する。なお、ステップＳ３５およびステップＳ３９の後は、処理を終了する。
【０１１１】
このように、上記他の構成は、一致率が第１の閾値未満であっても、一致率が第２の閾値以上の場合には、被測定者の血圧傾向を判断し、個人認証を行う構成である。通常、第１の閾値の値を低くすれば、認証された個人が正当な本人であるか否かは別にして、個人認証の成功率自体は高まる。しかし、このような閾値を下げる構成では、認証の精度を高く維持することはできない。しかしながら、被測定者の血圧傾向を判断する機能を追加することにより、認証の精度を高く維持したまま、個人認証の成功率を高めることが可能となる。
【０１１２】
（２）上記の電子血圧計１においては、各ユーザのコロトコフ音に関する一部データ抽出処理後の波形データを予めメモリ４３に認証用データとして記憶させておく構成としたが、これに限定されるものではない。各ユーザのコロトコフ音に関する複数の一部データ抽出処理後の波形データを平均化しておき、平均化した波形データを上記認証用データとして用いてもよい。例えば、個人認証に成功した場合、認証部８２は、当該個人認証にて得られる一部データ抽出処理後の波形データを用いて上記の平均化を行い、血圧測定の都度、認証用データを更新する構成としてもよい。このように、複数のコロトコフ音の波形データを平均化した波形データを認証用データとして用いることにより、個人認証の精度を高めることができる。
【０１１３】
（３）上記の電子血圧計１においては、マイクロフォン等の音センサ７２をカフ２０内に配置した。しかしながら、音センサの位置は、これに限定されず、例えば、本体１０内、あるいはエアチューブ３１内としてもよい。図１３は、音センサ７２をエアチューブ３１内に配置した場合の電子血圧計の概略構成を示した図である。
【０１１４】
ここで、音センサ７２をエアチューブ３１内に配置することにより得られる利点について説明する。血圧測定時において、カフ圧の変動させた場合、カフの変形によって、或る程度の雑音が生じる。音センサ７２は、この雑音も集音してしまう。音センサ７２をエアチューブ３１内に配置した場合にも、音センサ７２をカフ２０内に配置した場合と同様に、上記雑音を集音してしまう。しかしながら、当該雑音がエアチューブ３１内を進むに従い、当該雑音は減衰する。したがって、音センサ７２をエアチューブ３１内に配置した場合の方が、音センサ７２をカフ２０内に配置した場合よりも、上記雑音の影響を避けることができる。
【０１１５】
（４）上述した電子血圧計１においては、血圧の測定時における前記被測定者のコロトコフ音を検出することにより個人認証を行ったが、これに限定されるものではない。例えば、血圧の測定を行うことなく、コロトコフ音を用いて個人認証だけを行う構成としてもよい。
【０１１６】
すなわち、ユーザによっては、時として、血圧の測定は不要であるが、過去の血圧に関する情報を確認したい場合がある。このような場合、血圧の測定を行うことなく、コロトコフ音を用いて個人認証だけを行う構成とすると、血圧の測定も同時に行う場合に比べて、過去の血圧に関する情報をより早く確認することができるといった効果を得られる。
【０１１７】
なお、血圧の測定と個人認証とを同時に行うか、個人認証のみを行うかは、操作ボタン等によりユーザが逐次選択可能な構成としておけばよい。
【０１１８】
（５）上記の電子血圧計１においては、個人認証のみならず血圧の測定をもコロトコフ音を用いて行ったが、これに限定されるものではない。血圧の測定は、例えば、オシロメトリック法により行ってもよい。
【０１１９】
（６）上記の電子血圧計１においては、測定した血圧を表示制御手段８３Ａが表示部４０に表示させる構成としたが、これに限定されるものではない。例えば、血圧の表示とともに、血圧を音声として読み上げる構成としてもよい。あるいは、血圧の表示を行うことなく、血圧を音声で読み上げる構成としてもよい。いずれにしても、測定した血圧を報知する構成であればよい。
【０１２０】
（７）上記の電子血圧計１においては、１つのコロトコフ音の波形データ（つまり、１つの波形データ）を用いて個人認証を行う構成を例に挙げたが、これに限定されるものではない。例えば、複数のコロトコフ音の波形データを用いて、個人認証を行ってもよい。この場合、例えば、波形データの全てについて一致率を求め、全ての一致率が第１の閾値（Ｔｈ１）以上の場合のみに個人認証に成功したとすることができる。この構成の場合には、認証の精度をより一層高めることができる。また、波形データの全てについて一致率を求め、上記複数のうち一定数の一致率が第１の閾値（Ｔｈ１）以上の場合のみに個人認証に成功したとしてもよい。
【０１２１】
（８）上記の電子血圧計１においては、新たに抽出した被測定者のコロトコフ音であって、かつ最も出力の高い波形のコロトコフ音についての処理対象データを用いて個人認証を行う構成について説明したが、これに限定されるものではない。必ずしも、最も出力の高い波形のコロトコフ音についての処理対象データを用いる必要はない。ただし、最も出力の高い波形のコロトコフ音についての処理対象データを用いることが、認証の精度を挙げる点において好ましい。
【０１２２】
（９）上記の電子血圧計１においては、上述した手法を用いて一致率を算出し、当該算出した一致率を用いて個人認証を行った。しかしながら、本発明の個人認証に適用できる一致率の算出手法は、この手法に限定されるものではない。
【０１２３】
例えば、新たに抽出した被測定者のコロトコフ音の一部データ抽出処理前の波形データと、メモリ４３に予め記憶された各ユーザのコロトコフ音についての一部データ抽出処理前の波形データとを用いて、一致率を算出する構成としてもよい。
【０１２４】
この場合、両波形データで特定されうる波形の関数を、例えば図６に示すような時間軸に沿って積分する。ここで、一方の波形の積分値（つまり波形の面積）をＳ１と、他方の波形の積分値をＳ２とする。そして、予め記憶されたコロトコフ音についての一部データ抽出処理前の波形データ毎に、例えばＳ１／Ｓ２の値を求め、当該値が最も１に近くなる当該一部データ抽出処理前の波形データを特定する。そして、当該一部データ抽出処理前の波形データに対応付けられた識別情報に基づき、個人認証を行う。
【０１２５】
このようにしても、電子血圧計１で得られた効果と同様の効果を得ることができる。
＜付記＞
（１）個人認証に成功した場合、処理部８３は、測定した血圧を個人認証により認証された個人の血圧として表示部４０（表示装置）に表示させる。
【０１２６】
（２）電子血圧計１は、各個人を識別するための識別情報に関連付けて、予め検出されたコロトコフ音の波形データが認証用データとして個人毎に記憶されたメモリ４３（記憶装置）を備える。認証部８２は、検出したコロトコフ音の波形データと個人毎の認証用データとを比較することにより、個人認証を行う。
【０１２７】
（３）電子血圧計１は、各個人を識別するための識別情報に関連付けて、予め検出された複数のコロトコフ音の波形データを平均化した波形データが認証用データとして個人毎に記憶されたメモリ４３（記憶装置）を備える。認証部８２は、検出したコロトコフ音の波形データと個人毎の認証用データとを比較することにより、個人認証を行う。
【０１２８】
（４）認証部８２は、認証用データ毎に、当該認証用データと検出したコロトコフ音の波形データとの一致率を算出する算出部８２Ａを備える。認証部８２は、一致率のうち最も高い一致率が第１閾値以上となった場合、被測定者を、当該最も高い一致率となった認証用データに関連付けられた識別情報にて特定される個人であると認証する。
【０１２９】
（５）メモリ４３（記憶装置）には、測定した血圧に関する情報として、高血圧の傾向にあるのか低血圧の傾向にあるのかを示した傾向データが個人毎に予め記憶されている。認証部８２は、個人認証時に測定した血圧に基づいて、高血圧の傾向にあるのか低血圧の傾向にあるのかを判断する第１断部８２Ｂを備える。また、認証部８２は、最も高い一致率が第２閾値以上であって第１閾値未満である場合には、第１判断部８２Ｂにより判断した血圧の傾向と、最も高い一致率となった認証データに関連付けられた識別情報にて特定される個人についての傾向データが示す傾向とが一致するかを判断する第２判断部８２Ｃを備える。第２判断部８２Ｃにて一致すると判断された場合、認証部８２は、被測定者を、最も値の大きい一致率となった認証用データに関連付けられた識別情報にて特定される個人であると認証する。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３１】
【図１】本発明に係る一実施形態における電子血圧計の外観斜視図である。
【図２】電子血圧計のハードウェア構成を表わすブロック図である。
【図３】電子血圧計の機能構成を示す機能ブロック図である。
【図４】カフ圧を一定にした際に得られる、脈波音の１波形とコロトコフ音の１波形とを示した図である。
【図５】脈波音とコロトコフ音との関係、およびコロトコフ音の波形を説明するための図面であって、（Ａ）はカフ圧を減圧し続けた際に音センサから出力される脈波音とコロトコフ音と関係を示した図であり、（Ｂ）は（Ａ）の点線で囲まれたコロトコフ音の波形の詳細を示した図である。
【図６】処理対処データと１つの認証用データとの関係を示した図である。
【図７】男性Ａのコロトコフ音の波形と脈波形とを示したグラフであって、（Ａ）は１回目の測定時における男性Ａのコロトコフ音の波形と脈波形とを示したグラフであり、（Ｂ）は２回目の測定時における男性Ａのコロトコフ音の波形と脈波形とを示したグラフであり、（Ｃ）は３回目の測定時における男性Ａのコロトコフ音の波形と脈波形とを示したグラフである。
【図８】女性Ｂのコロトコフ音の波形と脈波形とを示したグラフであって、（Ａ）は１回目の測定時における女性Ｂのコロトコフ音の波形と脈波形とを示したグラフであり、（Ｂ）は２回目の測定時における女性Ｂのコロトコフ音の波形と脈波形とを示したグラフである。
【図９】血圧測定の処理の流れを示したフローチャートである。
【図１０】個人認証の処理のフローを示したフローチャートである。
【図１１】他の構成における制御部内の認証部の機能構成を示す機能ブロック図である。
【図１２】電子血圧計を上記他の構成とした場合における、血圧測定の処理の流れを示したフローチャートである。
【図１３】音センサをエアチューブ内に配置した場合の電子血圧計の概略構成を示した図である。
【符号の説明】
【０１３２】
１  電子血圧計、１０  本体部、２０  カフ、３１  エアチューブ、４０  表示部、４２  メモリ、４３  メモリ、７２  音センサ、７４  コロトコフ音検出回路、８０  制御部、８１  検出部、８１Ａ  抽出部、８１Ｂ  測定部、８２  認証部、８２Ａ  算出部、８２Ｂ  第１判断部、８２Ｃ  第２判断部、８３  処理部、８３Ａ  表示制御部、８２０  認証部。
【図１】
2010110380.tif 000003
【図２】
2010110380.tif 000004
【図３】
2010110380.tif 000005
【図４】
2010110380.tif 000006
【図５】
2010110380.tif 000007
【図６】
2010110380.tif 000008
【図７】
2010110380.tif 000009
【図８】
2010110380.tif 000010
【図９】
2010110380.tif 000011
【図１０】
2010110380.tif 000012
【図１１】
2010110380.tif 000013
【図１２】
2010110380.tif 000014
【図１３】
2010110380.tif 000015